【事件の表示】
　特願２００５−２７５７５５「電子メールメッセージへの添付ファイルの間をナビゲートする方法およびコンピュータ読取り可能媒体」拒絶査定不服審判事件〔平成１８年　４月２０日出願公開、特開２００６−１０７４９０〕について、次のとおり審決する。
【結　論】
　本件審判の請求は、成り立たない。
【理　由】
第１　手続の経緯
　
　本願は平成１７年９月２２日（パリ条約による優先権主張外国庁受理２００４年９月３０日、アメリカ合衆国、２００４年１１月１９日、アメリカ合衆国）の出願であって、平成２３年４月５日付けで拒絶理由が通知され、同年７月５日付けで手続補正がなされるとともに意見書が提出されたが、同年１２月２８日付けで拒絶査定がなされ、これに対し、平成２４年５月９日付けで拒絶査定不服審判の請求がなされるとともに手続補正がなされ、同年１１月１９日付けで審尋がなされ、平成２５年２月２０日付けで回答書が提出されたものである。
　
　
第２　平成２４年５月９日付けの手続補正の補正却下の決定
　
［補正却下の決定の結論］
　
　平成２４年５月９日付けの手続補正（以下、「本件補正」という。）を却下する。
　
［理由］
　
１．補正の内容
　
　本件補正は、補正前の特許請求の範囲（平成２３年７月５日に提出された手続補正書により補正された特許請求の範囲）の請求項１〜２０を補正して、補正後の特許請求の範囲の請求項１〜１２とするものであり、補正前後の各請求項は各々以下のとおりである。
　
（補正前）
　
「【請求項１】
　１つ以上の電子メールメッセージへの１つ以上の添付ファイルの間をナビゲートする方法であって、
　コンピュータ装置上に電子メールアプリケーションに対するユーザインタフェースを表示するステップであって、前記電子メールアプリケーションに対する前記ユーザインタフェースは、開かれていない電子メールメッセージの間をナビゲートするリストペインと、
開かれていない電子メールメッセージおよび前記開かれていない電子メールメッセージに関連付けられた１つ以上の添付ファイルをプレヴューする読取りペインとを含んでいるステップと、
　前記１つ以上の電子メールメッセージに関連付けられたヘッダ情報を含む、前記電子メールメッセージのリストを前記リストペインの中に表示するステップと、
　前記リスト中の前記電子メールメッセージのうちの１つの選択を受け取るステップであって、前記選択された電子メールメッセージは１つ以上の添付ファイルを有しているステップと、
　前記選択された電子メールメッセージに対する、および、前記選択された電子メッセージに関連付けられた前記１つ以上の添付ファイルの各々に対する選択可能な識別子を表示するステップであって、前記表示された識別子は、前記電子メールメッセージおよび前記１つ以上の添付ファイルの間をナビゲートし、並びに、前記電子メールアプリケーションの環境を切り替えること無しに前記電子メールメッセージまたは添付ファルを前記読取りペイン内でプレヴューするのに選択するものであるステップとを備え、
　前記リストの中の前記電子メールメッセージの選択は、前記選択された電子メールメッセージに対する識別子を選択し、前記読取りペインの中に、
　　前記電子メールメッセージを開くこと無しに前記選択された電子メールのプレヴューと、
　　前記選択された電子メールメッセージに対する前記選択された識別子と、
　　前記選択された電子メールメッセージに関連付けられた前記１つ以上の添付ファイルの各々に対してナビゲートするためであって、前記１つ以上の添付ファイルを開くこと無しに前記読取りペインの中に前記１つ以上の添付ファイルのプレヴューを表示するための選択可能な識別子と
を表示し、
　前記選択された電子メールメッセージに関連付けられた添付ファイルに対応する選択可能な識別子の選択は、前記選択された電子メールメッセージの前記プレヴューが前記読取りペイン内に表示されている間に、前記選択された電子メールメッセージに対する前記識別子を選択解除し、前記読取りペインの中に、
　　前記対応する添付ファイルを開くこと無しに前記読取りペインの中の前記選択された電子メールメッセージを置き換える前記対応する添付ファイルのプレヴューと、
　　前記対応する添付ファイルに対する前記選択された識別子と、
　　前記選択された電子メールメッセージにナビゲートし、および、前記選択された電子メールメッセージを開くこと無しに前記読取りペインの中に前記選択された電子メールメッセージのプレヴューを表示するための選択可能な識別子と
を表示することを特徴とする方法。
　　【請求項２】
　前記選択された電子メールメッセージの前記プレヴューが前記読取りペインの中に表示されている間に、添付ファルに対応する選択可能な識別子の前記選択を受信するステップと、
　添付ファルに対応する選択可能な識別子の前記選択の前記受信に応答して、前記選択された電子メールメッセージに対する前記識別子を選択解除し、前記対応する添付ファイルを選択し、前記読取りペインの中に前記選択された電子メールメッセージの前記プレヴューを置き換える前記対応する添付ファイルのプレヴューを表示するステップと
　をさらに備えることを特徴とする請求項１に記載の方法。
　　【請求項３】
　前記リスト中の、１つ以上の添付ファイルを有している他の電子メールメッセージの選択を受け取るステップと、
　前記他の電子メールメッセージの選択の前記受け取りに応答して、添付ファイルに対して先に表示された識別子を削除し、前記選択された他の電子メールメッセージへの前記１つ以上の添付ファイルに対する識別子を表示するステップと
　をさらに備えることを特徴とする請求項２に記載の方法。
　　【請求項４】
　前記リスト中の、添付ファイルを有していない他の電子メールメッセージの選択を受け取るステップと、
　前記添付ファイルを有していない他の電子メールメッセージの選択の前記受け取りに応答して、先に表示された添付ファイルに対する識別子を削除するステップと
　をさらに備えることを特徴とする請求項２に記載の方法。
　　【請求項５】
　前記選択された電子メールメッセージを見るために開くことを求める要求を受け取るステップと、
　前記選択された電子メールメッセージを見るために開くことを求める前記要求に応答して、前記選択された電子メールメッセージの内容および前記選択された電子メールメッセージに関連付けられた前記１つ以上の添付ファイルの各々に対する選択可能な識別子を表示するステップと
　をさらに備えることを特徴とする請求項２に記載の方法。
　　【請求項６】
　前記選択された電子メールメッセージの内容が表示されている間に、前記選択された電子メールメッセージに関連付けられた添付ファイルに対応する選択可能な識別子の選択を受信するステップと、
　添付ファイルに対応する選択可能な識別子の前記選択を受信するのに応答して、前記対応する添付ファイルのプレヴューを表示するステップと
　をさらに備えることを特徴とする請求項５に記載の方法。
　　【請求項７】
　前記対応する添付ファイルに対する前記プレビューは、前記選択された電子メールメッセージの前記表示された内容を置き換えることを特徴とする請求項６に記載の方法。
　　【請求項８】
　コンピュータ実行可能命令がその上に記憶されているコンピュータ読取り可能記憶媒体であって、コンピュータによって実行されたとき、
　１つ以上の開かれていない電子メールメッセージを識別する、電子メールアプリケーションに対するユーザインタフェースの第１のウィンドウペインを表示するステップであって、前記第１のウィンドウペインは開かれていない電子メールメッセージの間をナビゲートするステップと、
　前記開かれていない電子メールメッセージの１つの選択を受信するステップと、
　前記選択された電子メールメッセージが１つ以上の添付ファイルを有しているかどうかを決定するステップと、
　前記選択された電子メールメッセージが１つ以上の添付ファイルを有していることの前記決定に応答して、前記選択された電子メールメッセージに対する、および、前記選択された電子メッセージに関連付けられた前記１つ以上の添付ファイルの各々に対する選択可能な識別子を表示するステップであって、前記表示された識別子は、前記電子メールメッセージおよび前記１つ以上の添付ファイルの間をナビゲートし、および、前記電子メールメッセージまたは添付ファイルをプレヴューするために選択するものであるステップと、
　前記１つ以上の添付ファイルを含んでいる前記選択された電子メールメッセージをプレヴューする前記ユーザインタフェースの第２のウィンドウペインを表示するステップであって、前記第１のウィンドウペインの中の前記電子メールメッセージの選択は、前記選択された電子メールメッセージに対する前記識別子を選択し、および、前記第２のウィンドウペインの中に、
　　前記電子メールメッセージを開くこと無しに前記選択された電子メールのプレヴューと、
　　前記選択された電子メールメッセージに対する前記選択された識別子と、
　　前記選択された電子メールメッセージに関連付けられた前記１つ以上の添付ファイルの各々に対してナビゲートし、前記１つ以上の添付ファイルを開くこと無しに前記第２のウィンドウペインの中に前記１つ以上の添付ファイルのプレヴューを表示するための選択可能な識別子と
を表示するステップと、
　前記電子メールメッセージの前記プレヴューが前記第２のウィンドウペインの中に表示されいている間に、添付ファイルに対する選択可能な識別子の選択を受信するステップと、
　添付ファイルに対する選択可能な識別子の前記選択の前記受信に応答して、前記選択された電子メールメッセージに対する前記識別子を選択解除し、前記第２のウィンドウペインの中に、
　　前記対応する添付ファイルを開くこと無しに、かつ、前記電子メールアプリケーションの環境を切り替えること無しに、前記第２のウィンドウペインの中の前記選択された電子メールメッセージの前記プレヴューを置き換える前記添付ファイルのプレヴューと、
　　前記対応する添付ファイルに対する前記選択された識別子と、
　　前記選択された電子メールメッセージにナビゲートし、および、前記選択された電子メールメッセージを開くこと無しに前記第２のウィンドウペインの中に前記選択された電子メールメッセージのプレヴューを表示するための選択可能な識別子と
を表示するステップと
　を前記コンピュータに実行させることを特徴とするコンピュータ読取り可能記憶媒体。
　　【請求項９】
　前記第２のウィンドウペインは、前記第１のウィンドウペインに隣接して表示されることを特徴とする請求項８に記載のコンピュータ読取り可能記憶媒体。
　　【請求項１０】
　添付ファイルに対する前記識別子は、前記添付ファイルのタイプ、前記添付ファイルの名前、および前記添付ファイルのサイズに対応するアイコンを含むことを特徴とする請求項８に記載のコンピュータ読取り可能記憶媒体。
　　【請求項１１】
　前記添付ファイルの前記プレヴューが前記第２のウィンドウペインの中に表示されている間に、前記選択された電子メールメッセージに関連付けられた異なる添付ファイルに対応する選択可能な識別子の前記選択を受信するステップと、
　前記異なる添付ファイルに対応する選択可能な識別子の選択の前記受信に応答して、前記添付ファイルに対する前記選択された識別子を選択解除して、前記異なる添付ファイルを選択し、前記第２のウィンドウペインの中に、
　　前記異なる添付ファイルを開くこと無しに、前記第２のウィンドウペインの中の前記選択された添付ファイルを置き換える前記異なる添付ファイルのプレヴューと、
　　前記異なる添付ファイルに対する前記選択された識別子と、
　　前記選択された電子メールメッセージおよび前記選択された電子メールメッセージに関連付けられた他の添付ファイルの各々に対してナビゲートし、および、前記選択された電子メールメッセージまたは前記他の添付ファイルの各々のプレヴューを前記第２のウィンドウペインに表示するための選択可能な識別子と
を表示するステップと
　を前記コンピュータに実行させるコンピュータ実行可能命令がさらに記憶されていることを特徴とする請求項８に記載のコンピュータ読取り可能記憶媒体。
　　【請求項１２】
　１つ以上の添付ファイルを有する前記第１のウィンドウペインの中のもう１つの電子メールメッセージの選択を受け取るステップと、
　前記もう１つの電子メールメッセージの前記選択に応答して、先に表示された添付ファイルに対する識別子を除去し、前記選択されたもう１つの電子メールメッセージへの前記１つ以上の添付ファイルに対する識別子を表示するステップと
　を前記コンピュータに実行させるコンピュータ実行可能命令がさらに記憶されていることを特徴とする請求項８に記載のコンピュータ読取り可能記憶媒体。
　　【請求項１３】
　前記第１のウィンドウペインの中の、添付ファイルを有していないもう１つの電子メールメッセージの選択を受け取るステップと、
　添付ファイルを有していない前記もう１つの電子メールメッセージの前記選択に応答して、先に表示された添付ファイルに対する識別子を除去するステップと
　を前記コンピュータに実行させるコンピュータ実行可能命令がさらに記憶されていることを特徴とする請求項８に記載のコンピュータ読取り可能記憶媒体。
　　【請求項１４】
　前記選択された電子メールメッセージを見るために開く要求を受け取るステップと、
　前記選択された電子メールメッセージを見るために開く前記要求に応答して、前記選択された電子メールメッセージの内容と、前記選択された電子メールメッセージに関連付けられた前記１つ以上の添付ファイルの各々に対する選択可能な識別子とを表示するステップと
　を前記コンピュータに実行させるコンピュータ実行可能命令がさらに記憶されていることを特徴とする請求項８に記載のコンピュータ読取り可能記憶媒体。
　　【請求項１５】
　前記選択された電子メールメッセージの内容が表示されている間に、前記択された電子メールメッセージに関連付けられた添付ファイルに対応する選択可能な識別子の選択を受け取るステップと、
　添付ファイルに対応する選択可能な識別子の前記選択に応答して、前記対応する添付ファイルのプレヴューを表示するステップと
　を前記コンピュータに実行させるコンピュータ実行可能命令がさらに記憶されていることを特徴とする請求項１４に記載のコンピュータ読取り可能記憶媒体。
　　【請求項１６】
　前記対応する添付ファイルのプレヴューは、前記選択された電子メールメッセージの前記表示された内容を置き換えることを特徴とする請求項１５に記載のコンピュータ読取り可能記憶媒体。
　　【請求項１７】
　コンピュータ実行可能命令がその上に記憶されているコンピュータ読取り可能記憶媒体であって、コンピュータによって実行されたとき、
　電子メールアプリケーションの中で、１つ以上の添付ファイルを有している電子メールメッセージを見るために開く要求を受信するステップと、
　前記電子メールメッセージおよび前記電子メールメッセージの内容に関連付けられたヘッダ情報を含む開かれた電子メールメッセージを表示するステップと、
　前記ヘッダ情報に隣接して、前記電子メールメッセージの内容と前記電子メールメッセージへの前記１つ以上の添付ファイルとの間をナビゲートするユーザインタフェースを表示するステップであって、前記ユーザインタフェースは、前記電子メールメッセージの前記内容に対する、および、前記電子メールメッセージへの前記１つ以上の添付ファイルの各々に対する選択可能な識別子を含んでおり、前記表示された識別子は、前記電子メールメッセージの内容および前記選択された電子メールメッセージへの添付ファイルの間をナビゲートし、並びに、前記電子メールメッセージの前記内容を見るため、もしくは、前記電子メールアプリケーションの環境を切り替えること無しに前記開かれた電子メールメッセージの中で前記電子メールメッセージに関連付けられた添付ファイルをプレヴューするために選択するものであるステップと
　を前記コンピュータに実行させ、
　前記電子メールメッセージを開く要求を受信する前記ステップは、前記選択された電子メールメッセージに対する前記識別子を選択し、
　　前記開かれた電子メールメッセージの中に、前記選択された電子メールメッセージの前記内容と、
　　前記選択された電子メールメッセージに対する前記選択された識別子と、
　　前記１つ以上の添付ファイルの各々にナビゲートし、および、前記１つ以上の添付ファイルを開くこと無しに前記１つ以上の添付ファイルのプレヴューを前記開かれた電子メールメッセージの中に表示するための選択可能な識別子とを表示し、
　添付ファイルに対応する選択可能な識別子の選択は、前記選択された電子メールメッセージの前記コンテンツが前記開かれた電子メールメッセージの中に表示されている間に、前記選択された電子メールメッセージに対する前記識別子を選択解除し、
　　前記対応する添付ファイルを開くこと無しに、前記開かれた電子メールメッセージの中の前記電子メールメッセージの前記コンテンツを置き換える前記対応する添付ファイルのプレヴューと、
　　前記対応する添付ファイルに対する前記選択された識別子と、
　　前記選択された電子メールメッセージにナビゲートし、前記選択された電子メールメッセージの前記コンテンツを表示するための選択可能な識別子とを表示すること
　を特徴とするコンピュータ読取り可能記憶媒体。
　　【請求項１８】
　前記選択された電子メールメッセージの前記コンテンツが、前記開かれた電子メールメッセージの中に表示されている間に、前記ユーザインタフェース内に前記電子メールメッセージへの第１の添付ファイルに対応する選択可能な識別子の選択を受信するステップと、
　前記第１の添付ファイルに対応する前記識別子の前記選択に応答して、前記開かれた電子メールメッセージの中の前記選択された電子メールメッセージの前記コンテンツを置き換える前記第１の添付ファイルのプレヴューを、前記開かれた電子メールメッセージの中に表示するステップと
　を前記コンピュータに実行させるコンピュータ実行可能命令がさらに記憶されていることを特徴とする請求項１７に記載のコンピュータ読取り可能記憶媒体。
　　【請求項１９】
　前記第１の添付ファイルの前記プレヴューが前記開かれた電子メールメッセージの中に表示されている間に、前記ユーザインタフェース内に前記電子メールメッセージへの第２の添付ファイルに対応する選択可能な識別子の選択を受信するステップと、
　前記第２の添付ファイルに対応する前記識別子の前記選択に応答して、前記開かれた電子メールメッセージの中の前記第１の添付ファイルの前記プレヴューを置き換える前記第２の添付ファイルのプレヴューを、前記開かれた電子メールメッセージの中に表示するステップと
　を前記コンピュータに実行させるコンピュータ実行可能命令がさらに記憶されていることを特徴とする請求項１８に記載のコンピュータ読取り可能記憶媒体。
　　【請求項２０】
　前記第１の添付ファイルの前記プレヴューが前記開かれた電子メールメッセージの中に表示されている間に、前記ユーザインタフェース内に前記電子メールメッセージの前記内容に対応する選択可能な識別子の選択を受信するステップと、
　前記電子メールメッセージの前記内容に対応する選択可能な識別子の前記選択に応答して、前記開かれた電子メールメッセージの中の前記第１の添付ファイルの前記プレヴューを置き換える前記電子メールメッセージの前記内容のプレヴューを、前記開かれた電子メールメッセージの中に表示するステップと
　を前記コンピュータに実行させるコンピュータ実行可能命令がさらに記憶されていることを特徴とする請求項１８に記載のコンピュータ読取り可能記憶媒体。」
　
（補正後）
　
「【請求項１】
　１つ以上の電子メールメッセージへの１つ以上の添付ファイルの間をナビゲートする方法であって、
　コンピュータ装置上に電子メールアプリケーションに対するユーザインタフェースを表示するステップであって、前記電子メールアプリケーションに対する前記ユーザインタフェースは、開かれていない電子メールメッセージの間をナビゲートするリストペインと、
開かれていない電子メールメッセージおよび前記開かれていない電子メールメッセージに関連付けられた１つ以上の添付ファイルをプレヴューする読取りペインとを含んでいる
、表示する
　前記１つ以上の電子メールメッセージに関連付けられたヘッダ情報を含む、前記電子メールメッセージのリストを前記リストペインの中に表示するステップと、
　前記リスト中の前記電子メールメッセージのうちの１つの選択を受け取るステップであって、前記選択された電子メールメッセージは１つ以上の添付ファイルを有している
、受け取る
　前記選択された電子メールメッセージに対する、および、前記選択された電子メッセージに関連付けられた前記１つ以上の添付ファイルの各々に対する選択可能な識別子を表示するステップであって、前記表示された識別子は、前記電子メールメッセージおよび前記１つ以上の添付ファイルの間をナビゲートし、並びに、前記電子メールアプリケーションの環境を切り替えること無しに前記電子メールメッセージまたは添付ファ
イ
ため
、表示する
　前記リストの中の前記電子メールメッセージ
を
すること
前記
　　前記電子メールメッセージを開くこと無しに前記選択された電子メールのプレヴューと、
　　前記選択された電子メールメッセージに対する前記選択された識別子と、
　　前記選択された電子メールメッセージに関連付けられた前記１つ以上の添付ファイルの各々に対してナビゲートするためであって、前記１つ以上の添付ファイルを開くこと無しに前記読取りペインの中に前記１つ以上の添付ファイルのプレヴューを表示するための選択可能な識別子と
を表示し、
　前記選択された電子メールメッセージに関連付けられた添付ファイルに対応する選択可能な
前記
を
すること
　　前記対応する添付ファイルを開くこと無しに前記読取りペインの中の前記選択された電子メールメッセージを置き換える前記対応する添付ファイルのプレヴューと、
　　前記対応する添付ファイルに対する前記選択された識別子と、
　　前記選択された電子メールメッセージにナビゲートし、および、前記選択された電子メールメッセージを開くこと無しに前記読取りペインの中に前記選択された電子メールメッセージのプレヴューを表示するための選択可能な識別子とを表示すること
　を特徴とする方法。
　　【請求項２】
　前記選択された電子メールメッセージの前記プレヴューが前記読取りペインの中に表示されている間に、添付ファ
イ
　添付ファ
イ
前記
　をさらに備えることを特徴とする請求項１に記載の方法。
　　【請求項３】
　前記リスト中の、１つ以上の添付ファイルを有している他の電子メールメッセージの選択を受け取るステップと、
　前記他の電子メールメッセージの選択の前記受け取りに応答して、添付ファイルに対して先に表示された識別子を削除し、前記選択された他の電子メールメッセージへの前記１つ以上の添付ファイルに対する識別子を表示するステップと
　をさらに備えることを特徴とする請求項２に記載の方法。
　　【請求項４】
　前記リスト中の、添付ファイルを有していない他の電子メールメッセージの選択を受け取るステップと、
　前記添付ファイルを有していない他の電子メールメッセージの選択の前記受け取りに応答して、先に表示された添付ファイルに対する識別子を削除するステップと
　をさらに備えることを特徴とする請求項２に記載の方法。
　　【請求項５】
　前記選択された電子メールメッセージを見るために開くことを求める要求を受け取るステップと、
　前記選択された電子メールメッセージを見るために開くことを求める前記要求に応答して、前記選択された電子メールメッセージの内容および前記選択された電子メールメッセージに関連付けられた前記１つ以上の添付ファイルの各々に対する選択可能な識別子を表示するステップと
　をさらに備えることを特徴とする請求項２に記載の方法。
　　【請求項６】
　前記選択された電子メールメッセージの内容が表示されている間に、前記選択された電子メールメッセージに関連付けられた添付ファイルに対応する選択可能な識別子の選択を受信するステップと、
　添付ファイルに対応する
前記
　をさらに備えることを特徴とする請求項５に記載の方法。
　　【請求項７】
　前記対応する添付ファイルに対する前記プレヴューは、前記選択された電子メールメッセージの前記表示された内容を置き換えることを特徴とする請求項６に記載の方法。
　　【請求項８】
　
１つ以上の電子メールメッセージへの１つ以上の添付ファイルの間をナビゲートする方法であって、
　電子メールアプリケーションの中で、１つ以上の添付ファイルを有している電子メールメッセージを見るために開く要求を受信するステップと、
　前記電子メールメッセージおよび前記電子メールメッセージの内容に関連付けられたヘッダ情報を含む開かれた電子メールメッセージを表示するステップと、
　前記ヘッダ情報に隣接して、前記電子メールメッセージの内容と前記電子メールメッセージへの前記１つ以上の添付ファイルとの間をナビゲートするユーザインタフェースを表示するステップであって、前記ユーザインタフェースは、前記電子メールメッセージの前記内容に対する、および、前記電子メールメッセージへの前記１つ以上の添付ファイルの各々に対する選択可能な識別子を含んでおり、前記表示された識別子は、前記電子メールメッセージの内容および前記選択された電子メールメッセージへの添付ファイルの間をナビゲートし、並びに、前記電子メールメッセージの前記内容を見るため、もしくは、前記電子メールアプリケーションの環境を切り替えること無しに前記開かれた電子メールメッセージの中で前記電子メールメッセージに関連付けられた添付ファイルをプレヴューするために選択するものである
、表示する
　を
備え
　前記電子メールメッセージを開く要求を受信する前記ステップは、前記選択された電子メールメッセージに対する前記識別子を選択し、
　　前記開かれた電子メールメッセージの中に、前記選択された電子メールメッセージの前記内容と、
　　前記選択された電子メールメッセージに対する前記選択された識別子と、
　　前記１つ以上の添付ファイルの各々にナビゲートし、および、前記１つ以上の添付ファイルを開くこと無しに前記１つ以上の添付ファイルのプレヴューを前記開かれた電子メールメッセージの中に表示するための選択可能な識別子とを表示し、
　添付ファイルに対応する
前記
を
すること
内容
　　前記対応する添付ファイルを開くこと無しに、前記開かれた電子メールメッセージの中の前記電子メールメッセージの前記
内容
　　前記対応する添付ファイルに対する前記選択された識別子と、
　　前記選択された電子メールメッセージにナビゲートし、前記選択された電子メールメッセージの前記
内容
　を特徴とする
方法
　　【請求項９】
　前記選択された電子メールメッセージの前記
内容
の、
　前記第１の添付ファイルに対応する前記識別子の前記選択に応答して、前記開かれた電子メールメッセージの中の前記選択された電子メールメッセージの前記
内容
　を
さらに備えることを
８
方法
　　【請求項１０】
　前記第１の添付ファイルの前記プレヴューが前記開かれた電子メールメッセージの中に表示されている間に、前記ユーザインタフェース内
の、
　前記第２の添付ファイルに対応する前記識別子の前記選択に応答して、前記開かれた電子メールメッセージの中の前記第１の添付ファイルの前記プレヴューを置き換える前記第２の添付ファイルのプレヴューを、前記開かれた電子メールメッセージの中に表示するステップと
　を
さらに備えることを
８
方法
　　【請求項１１】
　前記第１の添付ファイルの前記プレヴューが前記開かれた電子メールメッセージの中に表示されている間に、前記ユーザインタフェース内
の、
　前記電子メールメッセージの前記内容に対応する選択可能な識別子の前記選択に応答して、前記開かれた電子メールメッセージの中の前記第１の添付ファイルの前記プレヴューを置き換える前記電子メールメッセージの前記内容のプレヴューを、前記開かれた電子メールメッセージの中に表示するステップと
　を
さらに備えることを
８
方法
　　【請求項１２】
　
請求項１乃至１１いずれかの方法を実行するコンピュータ実行可能命令を記憶したことを特徴とするコンピュータ読取り可能記憶媒体。
　
　
２．補正事項の整理
　
　本件補正による補正事項を整理すると、以下のとおりである。
　
（１）補正事項１
　補正前の請求項１の「コンピュータ装置上に電子メールアプリケーションに対するユーザインタフェースを表示するステップであって、・・・プレヴューする読取りペインとを含んでいるステップ」を「コンピュータ装置上に電子メールアプリケーションに対するユーザインタフェースを表示するステップであって、・・・プレヴューする読取りペインとを含んでいる
、表示するステップ
　
（２）補正事項２
　補正前の請求項１の「前記リスト中の前記電子メールメッセージのうちの１つの選択を受け取るステップであって、・・・１つ以上の添付ファイルを有しているステップ」を「前記リスト中の前記電子メールメッセージのうちの１つの選択を受け取るステップであって、・・・１つ以上の添付ファイルを有している
、受け取る
　
（３）補正事項３
　補正前の請求項１、２の「添付ファル」を「添付ファ
イ
　
（４）補正事項４
　補正前の請求項１の「前記読取りペイン内でプレヴューするのに選択するものであるステップ」を「前記読取りペイン内でプレヴューするのに選択する
ため
、表示するステップ
　
（５）補正事項５
　補正前の請求項１の「前記リストの中の前記電子メールメッセージの選択は、前記選択された電子メールメッセージに対する識別子を選択し、」を「前記リストの中の前記電子メールメッセージ
を
すること
前記
　
（６）補正事項６
　補正前の請求項１の「前記選択された電子メールメッセージに関連付けられた添付ファイルに対応する選択可能な識別子の選択は、」を「前記選択された電子メールメッセージに関連付けられた添付ファイルに対応する選択可能な
前記
を
すること
　
（７）補正事項７
　補正前の請求項２、６の「選択可能な識別子」を「
前記
　
（８）補正事項８
　補正前の請求項７の「前記プレビュー」を「前記プレ
ヴ
　
（９）補正事項９
　補正前の請求項８〜１６を削除し、補正前の請求項１７〜２０の項番を請求項８〜１１に繰り上げる補正。
　
（１０）補正事項１０
　補正前の請求項１７（本件補正によって項番を請求項８に繰り上げ）の「コンピュータ実行可能命令がその上に記憶されているコンピュータ読取り可能記憶媒体であって」を「
１つ以上の電子メールメッセージへの１つ以上の添付ファイルの間をナビゲートする方法であって
コンピュータ読取り可能記憶媒体
方法
　
（１１）補正事項１１
　補正前の請求項１７（本件補正によって項番を請求項８に繰り上げ）の「コンピュータによって実行されたとき、」を削除する補正。
　
（１２）補正事項１２
　補正前の請求項１７（本件補正によって項番を請求項８に繰り上げ）の「前記ヘッダ情報に隣接して、前記電子メールメッセージの内容と前記電子メールメッセージへの前記１つ以上の添付ファイルとの間をナビゲートするユーザインタフェースを表示するステップであって、・・・添付ファイルをプレヴューするために選択するものであるステップと」「を前記コンピュータに実行させ、」を「前記ヘッダ情報に隣接して、前記電子メールメッセージの内容と前記電子メールメッセージへの前記１つ以上の添付ファイルとの間をナビゲートするユーザインタフェースを表示するステップであって、・・・添付ファイルをプレヴューするために選択するものである
、表示する
備え
　
（１３）補正事項１３
　補正前の請求項１７（本件補正によって項番を請求項８に繰り上げ）の「添付ファイルに対応する選択可能な識別子の選択は、」を「添付ファイルに対応する
前記
を
することは
　
（１４）補正事項１４
　補正前の請求項１７、１８（本件補正によって項番を請求項８、９に繰り上げ）の「コンテンツ」を「
内容
　
（１５）補正事項１５
　補正前の請求項１８（本件補正によって項番を請求項９に繰り上げ）の「前記ユーザインタフェース内に前記電子メールメッセージへの第１の添付ファイルに対応する選択可能な識別子の選択を受信するステップ」を「前記ユーザインタフェース内
の、
　
（１６）補正事項１６
　補正前の請求項１８（本件補正によって項番を請求項９に繰り上げ）の「前記開かれた電子メールメッセージの中に表示するステップとを前記コンピュータに実行させるコンピュータ実行可能命令がさらに記憶されていることを特徴とする請求項１７に記載のコンピュータ読取り可能記憶媒体。」を「前記開かれた電子メールメッセージの中に表示するステップとを
さらに備えることを
８
方法
　
（１７）補正事項１７
　補正前の請求項１９（本件補正によって項番を請求項１０に繰り上げ）の「前記ユーザインタフェース内
に
の、
　
（１８）補正事項１８
　補正前の請求項１９（本件補正によって項番を請求項１０に繰り上げ）の「前記開かれた電子メールメッセージの中に表示するステップとを前記コンピュータに実行させるコンピュータ実行可能命令がさらに記憶されていることを特徴とする請求項１８に記載のコンピュータ読取り可能記憶媒体。」を「前記開かれた電子メールメッセージの中に表示するステップとを
さらに備えることを
８
方法
　
（１９）補正事項１９
　補正前の請求項２０（本件補正によって項番を請求項１１に繰り上げ）の「前記ユーザインタフェース内に前記電子メールメッセージの前記内容に対応する選択可能な識別子の選択を受信するステップ」を「前記ユーザインタフェース内
の、
　
（２０）補正事項２０
　補正前の請求項２０（本件補正によって項番を請求項１１に繰り上げ）の「前記開かれた電子メールメッセージの中に表示するステップとを前記コンピュータに実行させるコンピュータ実行可能命令がさらに記憶されていることを特徴とする請求項１８に記載のコンピュータ読取り可能記憶媒体。」を「前記開かれた電子メールメッセージの中に表示するステップとを
さらに備えることを
８
方法
　
（２１）補正事項２１
　新たな請求項１２を追加する補正。
　
３．補正の目的の適否について
　
（１）補正事項１、２、４、１５、１７及び１９について
　補正事項１、２、４、１５、１７及び１９は、特許請求の範囲が限定的に減縮されるものではなく、明りょうでない記載の釈明を目的とするものと判断される。しかしながら、原査定の拒絶の理由には、記載不備に関するものはないから、明りょうでない記載の釈明（拒絶理由通知に係る拒絶の理由についてするものに限る。）を目的とするものとは認められない。
　また、請求項の削除及び誤記の訂正のいずれかを目的とするものでもない。　
　
（２）補正事項３、５〜８及び１３について
　補正事項３、５〜８及び１３は、誤記の訂正を目的とするものであり、適法な補正である。
　なお、補正事項５〜７及び１３は、明りょうでない記載の釈明を目的とするものである可能性があるが、原査定の拒絶の理由には、記載不備に関するものはないから、明りょうでない記載の釈明（拒絶理由通知に係る拒絶の理由についてするものに限る。）を目的とするものとは認められないないため、誤記の訂正を目的とするものとして判断する。
　
（３）補正事項９について
　補正事項９は、請求項の削除を目的とするものであり、適法な補正である。
　
（４）補正事項１０、１６、１８及び２０について
　補正事項１０、１６、１８及び２０により「コンピュータ読取り可能記憶媒体」の発明が「方法」の発明に変わることとなり、このような発明のカテゴリーを変更する補正により、特許請求の範囲が限定的に減縮されるものではなく、また、明りょうでない記載が明りょうになるものでもない。
　したがって、補正事項１０、１６、１８及び２０は、特許請求の範囲の限定的減縮及び明りょうでない記載の釈明を目的をするものとはいえず、また、請求項の削除及び誤記の訂正のいずれかを目的とするものでもない。　
　
（５）補正事項１１及び１２について
　補正事項１０によって「コンピュータ読取り可能記憶媒体」の発明が「方法」の発明に発明のカテゴリーを変更したことに伴い、「コンピュータによって実行されたとき」及び「前記コンピュータに実行させ」という事項を削除する補正であり、特許請求の範囲の限定的減縮及び明りょうでない記載の釈明を目的をするものとはいえず、また、請求項の削除及び誤記の訂正のいずれかを目的とするものでもない。　
　
（６）補正事項１４について
　本願明細書を参照しても「コンテンツ」という表現を用いて一貫して説明しており、「コンテンツ」と「内容」に差異があるような記載もないため、補正事項１４によって、特許請求の範囲が限定的に減縮されるものではなく、明りょうでない記載の釈明を目的とするものでもない。
　また、請求項の削除及び誤記の訂正のいずれかを目的とするものでもない。　
　
（７）補正事項２１について
　補正事項２１によって、補正後の請求項１２は、「請求項１」「の方法を実行するコンピュータ実行可能命令を記憶したことを特徴とするコンピュータ読取り可能記憶媒体。」を含む。
　しかしながら、発明のカテゴリーが「コンピュータ読取り可能記憶媒体」であった補正前の請求項８〜２０は、いずれも補正前の請求項１を参照しておらず、補正事項２１は補正前にはなかった請求項を新たに追加するものである。したがって、特許請求の範囲の限定的減縮及び明りょうでない記載の釈明を目的をするものとはいえず、また、請求項の削除及び誤記の訂正のいずれかを目的とするものでもない。　
　なお、請求人は請求の理由において、「新請求項は、新請求項１−１１の方法の発明に従属する記憶媒体の発明であって、実質的に旧請求項１７−２０と同一です。」と説明している。
　しかしながら、補正後の請求項１は、旧請求項１７の例えば「前記ヘッダ情報に隣接して、前記電子メールメッセージの内容と前記電子メールメッセージへの前記１つ以上の添付ファイルとの間をナビゲートするユーザインタフェースを表示するステップ」を備えておらず、補正後の請求項１を参照する補正後の請求項１２は、旧請求項１７−２０と実質的に同一とはいえない。
　
　したがって、上記補正事項１、２、４、１０〜１２、１４〜２１を含む本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。 
　
　
４．独立特許要件
　本件補正は、上記「３．」で検討したように、却下されるべきものであるが、仮に、特許法第１７条の２第４項第２号に掲げる事項を目的とするものであるとした場合、本件補正後の特許請求の範囲の請求項１に記載された発明（以下、「本件補正発明」という。）が、特許出願の際独立して特許を受けることができるものであるか（特許法第１７条の２第５項において準用する同法第１２６条第５項の規定に適合するか）についても、以下に検討する。
　
（１）本件補正発明
　本件補正発明は、上記「１．」の補正後の請求項１に記載されたとおりのものである。
　
（２）引用文献
（２）−１
　原査定の拒絶の理由に引用された、西田  宗千佳、“携帯電話やＷｏｒｋＰａｄとの連携が魅力の軽快メールソフト  Ｓｈｕｒｉｋｅｎ  Ｐｒｏ”、ＡＳＡＨＩパソコン、日本、朝日新聞社、２０００年４月１５日、Ｎｏ．２６４、Ｐ．１００〜１０１（以下、「引用文献１」という。）には、図面と共に次の事項が記載されている。
　
（ア）「「Ｓｈｕｒｉｋｅｎ　Ｐｒｏ」は、ジャストシステムの電子メールソフト。「「Ｓｈｕｒｉｋｅｎ」はこれまで一太郎などの主力ソフトに「オマケ」のように付属していたが、今回大幅にパワーアップして、製品版「Ｐｒｏ」として再登場した。携帯電話やＷｏｒｋＰａｄへの対応など、多くの特徴を持つこのソフトの実力を、使い勝手を中心にテストしてみた。」（第１００頁第１〜４行）
　
（イ）「添付ファイルが付いているメールを受信すると、メール本文の上に（４）のようなバーが現れ、添付されているすべてのファイルが並ぶ。ここをクリックすると、シュリケン・プロで表示可能なファイルに関しては、下のビューアで表示される。青い三角形のついたボタンを押せば、テキストの本文と添付ファイルの内容の両方を同時に並べて見られる。」（第１００頁右欄最終行〜第１０１頁左欄８行、なお、丸数字は(数字)で示した。）
　
（ウ）第１００頁の下部中央には、シュリケン・プロの画面表示の例が記載されている。１つのウィンドウを複数の表示領域に分割し、上方の表示領域には、電子メールの見出し、差出人、送信日時等からなるメール一覧を表示し、当該メール一覧中の一番上の１行を反転させた状態で表示している。
　下方の左端側の表示領域にはディレクトリ形式の情報を表示し、下のビューアの左半分の表示領域には「ニセモノも増えたらしいけど、やっぱり本物は動きが違うねぇ。」というテキストの文を表示し、下のビューアの右半分の表示領域には画像イメージを表示している。
　
（エ）第１０１頁の右上の（４）の図には、「ファイル名をクリックすると、添付ファイルが表示される。一太郎ファイルはＯＫだが、Ｗｏｒｄファイルはマイクロソフトのプラグインが必要。」との説明文とともに、上記（ウ）の画面表示の例の一部分を拡大した画面が以下のとおりに記載されている。（なお、丸数字は(数字)で示した。）
　
　下のビューアには、テキストの本文と添付ファイルの内容の両方を同時に並べており、
　下のビューアの左半分の表示領域には「ニセモノも増えたらしいけど、やっぱり本物は動きが違うねぇ。」というメール本文を表示し、メール本文の上に現れているバーには、三角形のついたボタン、左向き矢印のボタン、アイコンとともに“（ｔｅｘｔ／ｐｌａｉｎ）”が表記されたボタン、「？」のアイコンとともにファイル名“ＤＳＣＮ００５．．．”が表記されたボタン、右向き矢印のボタンが並び、アイコンとともに“（ｔｅｘｔ／ｐｌａｉｎ）”が表記されたボタンを、濃さを変えた状態で表示している。
　下のビューアの右半分の表示領域には添付ファイルの内容である画像イメージを表示し、画像イメージの上に現れているバーには、三角形のついたボタン、左向き矢印のボタン、アイコンとともに“（ｔｅｘｔ／ｐｌａｉｎ）”が表記されたボタン、「？」のアイコンとともにファイル名“ＤＳＣＮ００５．．．”が表記されたボタンが並び、「？」のアイコンとともにファイル名“ＤＳＣＮ００５．．．”が表記されたボタンを、反転させた状態で表示している。
　メール一覧を表示する上方の表示領域と下のビューアとの間の枠には、「見出し」、「差出人」、「送信日時」といった情報とともに、操作ボタン類が配置されている。　
　
　これら記載事項を総合すると、引用文献１には、次の発明（以下、「引用発明」という。）が記載されていると認められる。
　
「「Ｓｈｕｒｉｋｅｎ　Ｐｒｏ」は、電子メールソフトであり、
　添付ファイルが付いているメールを受信すると、メール本文の上にバーが現れ、添付されているすべてのファイルが並び、ここをクリックすると、シュリケン・プロで表示可能なファイルに関しては、下のビューアで表示され、青い三角形のついたボタンを押せば、テキストの本文と添付ファイルの内容の両方を同時に並べて見られ、
　シュリケン・プロの画面表示は、１つのウィンドウを複数の表示領域に分割し、上方の表示領域には、電子メールの見出し、差出人、送信日時等からなるメール一覧を表示し、当該メール一覧中の一番上の１行を反転させた状態で表示し、
　下のビューアには、テキストの本文と添付ファイルの内容の両方を同時に並べており、
　下のビューアの左半分の表示領域には「ニセモノも増えたらしいけど、やっぱり本物は動きが違うねぇ。」というメール本文を表示し、メール本文の上に現れているバーには、三角形のついたボタン、左向き矢印のボタン、“（ｔｅｘｔ／ｐｌａｉｎ）”が表記されたボタン、ファイル名“ＤＳＣＮ００５．．．”が表記されたボタン、右向き矢印のボタンが並び、“（ｔｅｘｔ／ｐｌａｉｎ）”が表記されたボタンを、濃さを変えた状態で表示し、
　下のビューアの右半分の表示領域には添付ファイルの内容である画像イメージを表示し、画像イメージの上に現れているバーには、三角形のついたボタン、左向き矢印の絵のボタン、“（ｔｅｘｔ／ｐｌａｉｎ）”が表記されたボタン、ファイル名“ＤＳＣＮ００５．．．”が表記されたボタンが並び、ファイル名“ＤＳＣＮ００５．．．”が表記されたボタンを、反転させた状態で表示し、
　メール一覧を表示する上方の表示領域と下のビューアとの間の枠には、「見出し」、「差出人」、「送信日時」といった情報とともに、操作ボタン類が配置されている電子メールソフト。」
　
（２）−２
　新たに引用する、國島　康之、“Ｐａｌｍと連動できる高機能メールソフト　Ｓｈｕｒｉｋｅｎ　Ｐｒｏ／Ｒ．２”、Ｐａｌｍ  Ｍａｇａｚｉｎｅ、株式会社アスキー、２００１年１２月３１日、ｖｏｌ．４、Ｐ．５７（以下、「引用例２」という。）には、図と共に次の事項が記載されている。
　
（オ）「もちろん通常のメールソフトとしての機能も充実している。プレビューウィンドウが２分割できるので、メール本文を読みながら添付されてきたＨＴＭＬ文書やＪＰＥＧ形式の画像を即座に確認できる（図３）。また、添付ファイルが複数ある場合も、タブで切り替えて表示できる。今までは、いちいち新規保存して他のソフトで確認しなければならなかったことを考えれば、デジカメ画像などのやり取りが多いユーザーには待望の機能といえるのではないだろうか。」（第５７頁右欄第６〜１６行）
　
　
（２）−３
　新たに引用する、小山  貴弘、“徹底比較  メールソフト十番勝負  個性的な機能が満載！！  自分のベストマッチを見つけよう！”、Ｗｉｎｄｏｗｓ  ２０００  Ｗｏｒｌｄ、（株）ＩＤＧジャパン、２００３年２月１日、Ｖｏｌ．８  Ｎｏ．２、Ｐ．１９９〜２１１（以下、「引用例３」という。）には、図と共に次の事項が記載されている。
　
（カ）「また、一般的な左側にフォルダツリー、右側にメール一覧、下部にプレビューといったウィンドウレイアウトをそれぞれ自由に表示することも可能。利用しているＰＣの解像度やユーザの利用方法に合わせて、カスタマイズできる。
　Ｗｉｎｄｏｗｓ標準の画面デザインを選択した場合、インタフェースはそれほど特徴的ではない。しかし、添付ファイルを持ったメールを選択するとマルチ画面が有効になる。ＪＰＥＧ画像やＨＴＭＬ文書を添付している場合、ウィンドウの右側にプレビューが表示される仕組みだ。左側にプレーンテキストを表示するため、メールを見ながら画像が確認できるのだ。ＳｈｕｒｉｋｅｎＰｒｏ２がサポートしていないファイルが添付されている場合は、ツール起動、ファイル保存の各ボタンが表示される仕組みとなっている。」（第２０３頁の下側の中欄第５行〜右欄第６行）
　
　
（３）対比
　
　本件補正発明と引用発明とを対比する。
　
（あ）引用発明の「Ｓｈｕｒｉｋｅｎ　Ｐｒｏ」（以下、「シュリケン・プロ」という。）は「電子メールソフト」であり、本件補正発明の「電子メールアプリケーション」に相当する。  
　
（い）引用発明の「上方の表示領域」、「下のビューアの左半分の表示領域」及び「下のビューアの右半分の表示領域」は、「１つのウィンドウを複数の表示領域に分割し」た各領域であるから、それぞれ本件補正発明の「ペイン」に相当する。
　引用発明の「メール本文」は本件補正発明の「電子メールメッセージ」に相当する。
　引用発明の「上方の表示領域」は、ユーザが「メール一覧」から見たい「メール」を選択するための画面であり、「メール本文」（電子メールメッセージ）をナビゲートするためのものといえ、引用発明の「上方の表示領域」と本件補正発明の「開かれていない電子メールメッセージの間をナビゲートするリストペイン」とは、「電子メールメッセージの間をナビゲートするリストペイン」である点で共通する。
　
　引用発明の「下のビューア」は、「テキストの本文と添付ファイルの内容の両方を同時に並べて」表示するから、引用発明の「下のビューア」と本件補正発明の「開かれていない電子メールメッセージおよび前記開かれていない電子メールメッセージに関連付けられた１つ以上の添付ファイルをプレヴューする読取りペイン」とは、「電子メールメッセージおよび前記電子メールメッセージに関連付けられた１つ以上の添付ファイルを画面表示する読取りペイン」である点で共通する。
　
（う）引用発明の「上方の表示領域」（リストペイン）に表示される「電子メールの見出し、差出人、送信日時等からなるメール一覧」は、本件補正発明の「前記１つ以上の電子メールメッセージに関連付けられたヘッダ情報を含む、前記電子メールメッセージのリスト」に相当し、引用発明は本件補正発明の「前記１つ以上の電子メールメッセージに関連付けられたヘッダ情報を含む、前記電子メールメッセージのリストを前記リストペインの中に表示するステップ」を含んでいるといえる。
　
（え）引用発明の「電子メールソフト」は、ユーザが「メール一覧」から見たい「メール」を選択した際に、「メール」の選択を受け取って処理を実行することは明白であり、引用発明は本件補正発明の「前記リスト中の前記電子メールメッセージのうちの１つの選択を受け取るステップ」を含んでいるといえる。
　また、引用発明の「メール一覧」には「添付ファイルが付いているメール」が含まれているから、引用発明は本件補正発明の「前記リスト中の前記電子メールメッセージのうちの１つの選択を受け取るステップであって、前記選択された電子メールメッセージは１つ以上の添付ファイルを有している、受け取るステップ」を含んでいるといえる。
　
（お）引用発明の「下のビューアの左半分の表示領域」は、「メール本文の上に現れているバー」の「“（ｔｅｘｔ／ｐｌａｉｎ）”が表記されたボタン」を、選択されたことを意味する「濃さを変えた状態で表示」しており、「“（ｔｅｘｔ／ｐｌａｉｎ）”」は、「メール本文」に対応する選択可能な識別子といえ、「“（ｔｅｘｔ／ｐｌａｉｎ）”」は、本件補正発明の「前記選択された電子メールメッセージに対する」「選択可能な識別子」に相当する。
　引用発明の「下のビューアの右半分の表示領域」は、「画像イメージの上に現れているバー」の「ファイル名“ＤＳＣＮ００５．．．”が表記されたボタン」を、選択されたことを意味する「反転させた状態で表示」しており、「ファイル名“ＤＳＣＮ００５．．．”」は、「添付ファイル」に対応する選択可能な識別子といえ、「ファイル名“ＤＳＣＮ００５．．．”」は、本件補正発明の「前記選択された電子メッセージに関連付けられた前記１つ以上の添付ファイルの各々に対する選択可能な識別子」に相当する。
　したがって、引用発明の「メール本文の上に現れたバー」に「“（ｔｅｘｔ／ｐｌａｉｎ）”が表記されたボタン」及び「ファイル名“ＤＳＣＮ００５．．．”が表記されたボタン」を並べて表示することは、本件補正発明の「前記選択された電子メールメッセージに対する、および、前記選択された電子メッセージに関連付けられた前記１つ以上の添付ファイルの各々に対する選択可能な識別子を表示するステップ」を含んでいるといえる。
　
（か）引用発明の「下のビューア」の「左半分の表示領域」及び「右半分の表示領域」のいずれの「バー」にも、「メール本文」に対応する「“（ｔｅｘｔ／ｐｌａｉｎ）”が表記されたボタン」及び「添付ファイル」に対応する「ファイル名“ＤＳＣＮ００５８．．．”が表記されたボタン」が並び、「ここをクリックすると、シュリケン・プロで表示可能なファイルに関しては、」「下のビューア」の「左半分の表示領域」または「右半分の表示領域」のいずれかで表示されることは明白であるから、「バー」に並ぶ「ボタン」に「表記された」「“（ｔｅｘｔ／ｐｌａｉｎ）”」及び「ファイル名“ＤＳＣＮ００５．．．”」は、それぞれ「メール本文」及び「添付ファイル」をナビゲートするためのものといえ、引用発明と本件補正発明の「前記表示された識別子は、前記電子メールメッセージおよび前記１つ以上の添付ファイルの間をナビゲートし、並びに、前記電子メールアプリケーションの環境を切り替えること無しに前記電子メールメッセージまたは添付ファイルを前記読取りペイン内でプレビューするのに選択するためのものである、表示するステップ」とは、「前記表示された識別子は、前記電子メールメッセージおよび前記１つ以上の添付ファイルの間をナビゲートし、並びに、前記電子メールメッセージまたは添付ファイルを前記読取りペイン内で画面表示するのに選択するためのものである、表示するステップ」を含んでいる点で共通するといえる。
　
（き）引用発明の「下のビューア」（読取りペイン）に「メールの本文」を表示することと本件補正発明の「前記読取りペインの中に、前記電子メールメッセージを開くこと無しに前記選択された電子メールのプレヴュー」「を表示」することとは、「前記読取りペインの中に、前記選択された電子メールの画面表示」「を表示」する点で共通するといえる。
　
　引用発明の「下のビューア」の「バー」に並ぶ「“（ｔｅｘｔ／ｐｌａｉｎ）”が表記されたボタン」を、選択されたことを意味する「濃さを変えた状態で表示」することは、本件補正発明の「前記読取りペインの中に、」「前記選択された電子メールメッセージに対する前記選択された識別子」「を表示」することに相当する。
　
　引用発明の「下のビューア」の「バー」には、「添付されているすべてのファイルが並」び、「ここをクリックすると、シュリケン・プロで表示可能なファイルに関しては、下のビューアで表示され」るから、引用発明の「バー」が１つ以上の添付ファイルの各々に対してナビゲートできることは明白といえる。
  また、引用発明は「シュリケン・プロで表示可能なファイルに関しては、下のビューアで表示」する際に、添付ファイルを表示するためのアプリケーションを起動していないことは明白であり、添付ファイルを開くことなしに表示するといえる。
　したがって、引用発明と本件補正発明の「前記読取りペインの中に、」「前記選択された電子メールメッセージに関連付けられた前記１つ以上の添付ファイルの各々に対してナビゲートするためであって、前記１つ以上の添付ファイルを開くこと無しに前記読取りペインの中に前記１つ以上の添付ファイルのプレヴューを表示するための選択可能な識別子」「を表示」することとは、「前記読取りペインの中に、」「前記選択された電子メールメッセージに関連付けられた前記１つ以上の添付ファイルの各々に対してナビゲートするためであって、前記１つ以上の添付ファイルを開くこと無しに前記読取りペインの中に前記１つ以上の添付ファイルの画面表示を表示するための選択可能な識別子」「を表示」する点で共通するといえる。
　
（く）引用発明の「メール本文の上にバーが現れ、添付されているすべてのファイルが並び、ここをクリックする」ことは、本件補正発明の「前記選択された電子メールメッセージに関連付けられた添付ファイルに対応する選択可能な前記識別子を選択すること」に相当する。
  また、引用発明は「シュリケン・プロで表示可能なファイルに関しては、下のビューアで表示」する際に、添付ファイルを表示するためのアプリケーションを起動していないことは明白であり、添付ファイルを開くことなしに表示するといえる。
　したがって、引用発明と本件補正発明の「前記選択された電子メールメッセージに関連付けられた添付ファイルに対応する選択可能な前記識別子を選択することは、前記選択された電子メールメッセージの前記プレヴューが前記読取りペイン内に表示されている間に、前記選択された電子メールメッセージに対する前記識別子を選択解除し、前記読取りペインの中に、前記対応する添付ファイルを開くこと無しに前記読取りペインの中の前記選択された電子メールメッセージを置き換える前記対応する添付ファイルのプレヴュー」「を表示する」こととは、「前記選択された電子メールメッセージに関連付けられた添付ファイルに対応する選択可能な前記識別子を選択することは、前記読取りペインの中に、前記対応する添付ファイルを開くこと無しに前記対応する添付ファイルの画面表示」「を表示する」点で共通するといえる。
　
　引用発明の「下のビューア」の「バー」に並ぶ「ファイル名“ＤＳＣＮ００５．．．”が表記されたボタン」を、選択されたことを表す「反転させた状態で表示」することは、本件補正発明の「読取りペインの中に」「前記対応する添付ファイルに対する前記選択された識別子」「を表示する」ことを含んでいるといえる。
　
　引用発明の「下のビューア」の「バー」に並ぶ「“（ｔｅｘｔ／ｐｌａｉｎ）”が表記されたボタン」は、ここを「クリック」すると「メールの本文」が「下のビューア」に表示されることは明白であり、選択された「メール本文」（電子メールメッセージ）にナビゲートするものといえ、引用発明と本願発明の「読取りペインの中に」「前記選択された電子メールメッセージにナビゲートし、および、前記選択された電子メールメッセージを開くこと無しに前記読取りペインの中に前記選択された電子メールメッセージのプレヴューを表示するための選択可能な識別子」「を表示する」こととは、「読取りペインの中に」「前記選択された電子メールメッセージにナビゲートし、および、前記読取りペインの中に前記選択された電子メールメッセージの画面表示を表示するための選択可能な識別子」「を表示する」点で共通するといえる。
　
（け）引用発明の「電子メールソフト」は、上記で対比した本件補正発明の各ステップを含んでいるといえるから、「１つ以上の電子メールメッセージへの１つ以上の添付ファイルの間をナビゲートする方法であって、コンピュータ装置上に電子メールアプリケーションに対するユーザインタフェースを表示するステップ」を含んでいるといえる。
　
　そうすると、両者は次の点で一致し、また、相違している。
　
［一致点］
「１つ以上の電子メールメッセージへの１つ以上の添付ファイルの間をナビゲートする方法であって、
　コンピュータ装置上に電子メールアプリケーションに対するユーザインタフェースを表示するステップであって、前記電子メールアプリケーションに対する前記ユーザインタフェースは、電子メールメッセージの間をナビゲートするリストペインと、電子メールメッセージおよび前記電子メールメッセージに関連付けられた１つ以上の添付ファイルを画面表示する読取りペインとを含んでいる、表示するステップと、
　前記１つ以上の電子メールメッセージに関連付けられたヘッダ情報を含む、前記電子メールメッセージのリストを前記リストペインの中に表示するステップと、
　前記リスト中の前記電子メールメッセージのうちの１つの選択を受け取るステップであって、前記選択された電子メールメッセージは１つ以上の添付ファイルを有している、受け取るステップと、
　前記選択された電子メールメッセージに対する、および、前記選択された電子メッセージに関連付けられた前記１つ以上の添付ファイルの各々に対する選択可能な識別子を表示するステップであって、前記表示された識別子は、前記電子メールメッセージおよび前記１つ以上の添付ファイルの間をナビゲートし、並びに、前記電子メールメッセージまたは添付ファイルを前記読取りペイン内で画面表示するのに選択するためのものである、表示するステップとを備え、
　前記読取りペインの中に、
　　前記選択された電子メールの画面表示と、
　　前記選択された電子メールメッセージに対する前記選択された識別子と、
　　前記選択された電子メールメッセージに関連付けられた前記１つ以上の添付ファイルの各々に対してナビゲートするためであって、前記１つ以上の添付ファイルを開くこと無しに前記読取りペインの中に前記１つ以上の添付ファイルの画面表示を表示するための選択可能な識別子と
を表示し、
　前記選択された電子メールメッセージに関連付けられた添付ファイルに対応する選択可能な前記識別子を選択することは、前記読取りペインの中に、
　　前記対応する添付ファイルを開くこと無しに前記対応する添付ファイルの画面表示と、
　　前記対応する添付ファイルに対する前記選択された識別子と、
　　前記選択された電子メールメッセージにナビゲートし、および、前記読取りペインの中に前記選択された電子メールメッセージの画面表示を表示するための選択可能な識別子とを表示すること
　を特徴とする方法。」
　　
　　
［相違点１］
　本件補正発明の各ステップは、電子メールを開くこと無しに実行され、「リストペイン」は「開かれていない電子メールメッセージの間をナビゲート」し、「読取りペイン」は「開かれていない電子メールメッセージおよび前記開かれていない電子メールメッセージに関連付けられた１つ以上の添付ファイルをプレヴューする」のに対して、
　引用発明は、電子メールを開くことについて明確な記載がなく、電子メールを開くことなしに各ステップを実行できるのかどうか明かではなく、また、下のビューアはメール本文及び添付ファイルを表示するが、プレビューを表示するのかどうか必ずしも明かでない点。
　
［相違点２］
　本件補正発明は、電子メールアプリケーションの環境を切り替えること無しに電子メールメッセージまたは添付ファイルを読取りペイン内でプレヴューするのに対して、
　引用発明は、メール本文及び添付ファイルをビューアに表示するが、電子メールアプリケーションの環境を切り替えること無しに表示するのかどうか必ずしも明らかでない点。
　
［相違点３］
　本件補正発明において、リストの中の電子メールメッセージを選択することは、前記選択された電子メールメッセージに対する識別子を選択し、読取りペインの中に、前記選択された電子メールのプレヴューと、識別子とを表示することであるのに対して、
　引用発明において、メール一覧中のメールを選択することは、メール本文に対応する「“（ｔｅｘｔ／ｐｌａｉｎ）”」を選択し、下のビューアにメール本文と、識別子とを表示することなのかどうか必ずしも明かではない点。
　
［相違点４］
　本件補正発明は、「前記選択された電子メールメッセージに関連付けられた添付ファイルに対応する選択可能な前記識別子を選択すること」が、「前記選択された電子メールメッセージの前記プレヴューが前記読取りペイン内に表示されている間に、前記選択された電子メールメッセージに対する前記識別子を選択解除し、前記読取りペインの中に、前記対応する添付ファイルを開くこと無しに前記読取りペインの中の前記選択された電子メールメッセージを置き換える前記対応する添付ファイルのプレヴュー」を表示することを含むのに対して、
　引用発明は、下のビューアのバーに並ぶファイル名“ＤＳＣＮ００５．．．”と表記されたボタンをクリックすると、ファイル名“ＤＳＣＮ００５．．．”に対応する添付ファイルを下のビューアに表示するが、下のビューアにメール本文が表示されている間に、メール本文に対応する“（ｔｅｘｔ／ｐｌａｉｎ）”を選択解除し、メール本文を置き換えて添付ファイルを表示するのかどうか必ずしも明らかでない点。
　
（４）当審の判断
　
［相違点１］について
　本件補正発明の「電子メールメッセージを開くこと無しに」及び「開かれていない電子メールメッセージ」について検討すると、本願明細書には「ユーザは、Ｅメールメッセージ４４Ａ〜４４Ｄのうちの１つを見るために開くこと求める要求を提供することができる。例えば、ユーザは、マウス入力装置を用いて、メッセージ４４Ａ〜４４Ｄの１つを「ダブルクリック」することができる。このような要求に応答して、図２Ｂに示すものなどの画面表示７０を表示することができる。図２Ｂに示すように、画面表示７０は、選択されたＥメールメッセージのコンテンツが表示される本体領域７２を含む。」（【００３０】）との記載があり、上記「開くこと求める要求」として「ダブルクリック」したときの「画面表示７０」は、図２Ｂを参照すると独立したウィンドウである。
　また、「添付ファイルを選択するのに、添付ファイル４６Ａに対して１回のクリックを行えばよい。このような選択に応答して、添付ファイルのプレビュー５０が生成され、読取りペイン（ｒｅａｄｉｎｇ  ｐａｎｅ）４８中に表示される。」（【００２７】）との記載からすると、電子メールメッセージを開くこと無しに読取りペインにプレビューを表示させる場合には、「１回のクリック」を行えばよいといえる。
　したがって、本件補正発明の「電子メールメッセージを開くこと無しに」及び「開かれていない電子メールメッセージ」は、リストペイン中の電子メールメッセージをダブルクリックして別の独立したウィンドウに表示させるのではなく、１回のクリックを行って読取りペインにプレビューすることを含んでいるといえる。
　
　引用発明は、メール一覧から見たい電子メールを選択すると、下のビューアにメール本文を表示するものと解釈することが自然である。その際に、メール一覧中のメールをダブルクリックして選ぶのか、１回のクリックを行って選ぶのかは当業者が要求仕様に応じて適宜設計し得ることである。
　また、引用発明の「下のビューア」に関して、引用例２には「プレビューウィンドウが２分割できる」、引用例３には「下部にプレビューといったウィンドウレイアウトをそれぞれ自由に表示することも可能」及び「ウィンドウの右側にプレビューが表示される仕組みだ。」と記載されており、電子メールソフトのビューアが少なくとも添付ファイルのプレビューを表示することは当業者に周知である。
　してみると、引用発明の上方の表示領域（リストペイン）のメール一覧から１回のクリックを行って選んだメール本文を、別の独立したウィンドウに表示させるのではなく、下のビューア（読取りペイン）にプレビューし、電子メールメッセージを開くこと無しに、バーのボタンをクリックしてメール本文や添付ファイルを下のビューアでプレビューすることで上記相違点１に係る本願発明の構成とすることは、当業者が適宜なし得ることである。
　
［相違点２］について
　本件補正発明の「電子メールアプリケーションの環境を切り替えること」に関して、本願明細書には「Ｅメールの添付ファイルのコンテンツを見るために従来のプロセスが行われると、ユーザは、Ｅメールクライアントアプリケーションと、添付ファイルを見るために利用されるアプリケーションとの間でアプリケーション環境（ｃｏｎｔｅｘｔ）を変更する必要がある。ユーザが、添付ファイルを見終わったとき、ユーザはそのアプリケーションプログラムを終了させ、Ｅメールクライアントアプリケーションに戻ることによって、再度、アプリケーション環境を切り替えなくてはならない。Ｅメールの添付ファイルのプレビューを見るために、このようにアプリケーション環境を切り替えるのは、ユーザにとって時間のかかることであり、不満となり得る。」（【０００３】）と記載されており、本件補正発明の「電子メールアプリケーションの環境を切り替えること」には、「Ｅメールクライアントアプリケーションと、添付ファイルを見るために利用されるアプリケーションとの間でアプリケーション環境を変更する」ことを含んでいるといえる。
　引用発明の電子メールソフトは、「添付ファイルを見るために利用されるアプリケーションとの間でアプリケーション環境を変更する」ことなしに、メール本文及び添付ファイルを下のビューアに表示させることが明かであるから、上記相違点２に係る構成について実質的な差異はない。
　
［相違点３］について
　引用発明の電子メールソフトは、上方の表示領域のメール一覧からメールを選択すると、メール本文を下のビューアに表示し、その際には、メール本文の上に現れるバー中の“（ｔｅｘｔ／ｐｌａｉｎ）”が表記されたボタンを、選択されたことを表す「濃さを変えた状態」で表示することは自明といえ、上記相違点３に係る本件補正発明の構成とすることは、当業者が容易に想到し得ることである。
　
［相違点４］について
　引用発明のバーには、添付ファイルのファイル名と一緒に、メール本文に対応する“（ｔｅｘｔ／ｐｌａｉｎ）”がファイル名として並んでいるから、添付ファイルの表示とメール本文の表示とを、対応するファイル名が表記されたボタンをクリックして切り替えられることは明白である。
　また、引用発明の「下のビューア」が「左半分の表示領域」と「右半分の表示領域」に分割されているのは、「青い三角形のついたボタンを押」して「テキストの本文と添付ファイルの内容の両方を同時に並べて見」ているからであり、「青い三角形のついたボタンを押」さなければ、「下のビューア」は「左半分の表示領域」と「右半分の表示領域」に分割されずに、１つの表示領域からなるビューアであることは明白といえ、分割されていない１つのビューアでメール本文と添付ファイルとを見る場合には、添付ファイルを表示する際に、メール本文を置き換えて添付ファイルを表示するものと解釈することが自然である。
　また、ファイル名“ＤＳＣＮ００５．．．.”が表記されたボタンをクリックすることで、他のボタンを選択解除することは常套手段であり、引用発明においても、ファイル名“ＤＳＣＮ００５．．．”が表記されたボタンをクリックした際に、“（ｔｅｘｔ／ｐｌａｉｎ）”が表記されたボタンが選択解除されると解釈することが自然であり、上記相違点４に係る構成について実質的な差異はない。
　
　そして、本件補正発明による効果も、引用発明、引用例２及び引用例３に記載された周知技術から当業者が予測し得た程度のものであって、格別のものでもない。　
　
　したがって、本件補正発明は、引用発明、引用例２及び引用例３に記載された周知技術から当業者が容易に発明することができたものであるから、特許法第２９条第２項の規定により、特許出願の際独立して特許を受けることができない。
　
（５）本件補正についてのむすび
　
　以上のとおり、本件補正は、上記「３．」に指摘したとおり、平成１８年法律第５５号改正附則第３条第１項によりなお従前の例によるとされる同法による改正前の特許法第１７条の２第４項の規定に違反するから、同法第１５９条第１項において読み替えて準用する同法第５３条第１項の規定により、却下する。
　
　また、仮に本件補正が、目的要件を満たすものであったとしても，上記（４）に指摘したとおり，平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明
　
　本件補正は、上記のとおり却下されたので、本願の請求項１に係る発明（以下、「本願発明」という。）は、平成２３年７月５日付けの手続補正書により補正された特許請求の範囲の請求項１に記載された事項により特定される、上記「第２」の「１．」の補正前の請求項１に記載されたとおりのものである。
　
　
第４　引用文献
　
　原査定の拒絶の理由に引用された引用例及び引用発明は、上記「第２」の「４．」「（２）−１」に記載したとおりである。
　
第５　対比・判断
　
　本願発明は、前記「第２」の「２．」及び「３．」で検討した本件補正発明から補正事項１〜６を省いたものである。
　
　そうすると、実質的に本願発明の発明を特定する事項を全て含み、さらなる特定がなされた本件補正発明が、前記「第２」の「４．」に記載したとおり、引用発明及び周知技術に基づいて、当業者が容易に発明をすることができたものであるから、本願発明も、同様の理由により、引用発明及び周知技術に基づいて、当業者が容易に発明をすることができたものである。
　
　そして、本願発明による効果も、引用発明及び周知技術から当業者が予測し得た程度のものであって、格別のものでもない。　
　
　
第６　むすび
　
　以上のとおり、本願発明は、引用発明及び周知技術に基づいて、当業者が容易に発明することができたものであるから、特許法第２９条第２項の規定により特許を受けることができない。
　
　したがって、本願は、他の請求項について検討するまでもなく、拒絶すべきものである。
　
　よって、結論のとおり審決する。